(57)【特許請求の範囲】
【請求項１】
四方を封じる側部とそれらの上端縁に囲まれる開口部を封じる蓋部及び底部を具備する一連の展開シートを組み立ててなり、
前記側部は、左右側面と前後側面を備え、
前記蓋部は、後側面の上端縁から延出する上封止面と、前記前側面の裏側に差し入れられる上差込片を備え、
前記前側面は、その上端縁と切込み線に囲まれる開封操作部と、上に凸となる形状の切込み線に囲まれ且つ開封後再封時に差し入れられる上差込片を当該前側面とで挟む舌部を備え、
前記上差込片は、前記上封止面に向かって凸となる形状の切込み線に囲まれて位置し且つ前記舌部が離脱して生じる開口部の上縁に前記上差込片から離脱してかかる係止片を備えることを特徴とする包装用箱。
【請求項２】
四方を封じる側部とそれらの端縁に囲まれる開口部を封じる蓋部及び底部を具備する一連の展開シートであって、
前記側部は、左右側面と前後側面を備え、
前記蓋部は、後側面の上端縁から延出する上封止面と、前記前側面の裏側に差し入れられる上差込片を備え、
前記前側面は、その上端縁と切込み線に囲まれる開封操作部と、上に凸となる形状の切込み線に囲まれ且つ開封後再封時に差し入れられる上差込片を当該前側面とで挟む舌部を備え、
前記上差込片は、前記上封止面に向かって凸となる形状の切込み線に囲まれて位置し且つ前記舌部が離脱して生じる開口部の上縁に前記上差込片から離脱してかかる係止片を備えることを特徴とする包装用箱用展開シート。
【発明の詳細な説明】
【技術分野】
【０００１】
本発明は、例えば、薬剤や化粧品などを封入した瓶などを収容する包装用箱及びその展開シートに関し、特に、開封後に再閉鎖可能であって、且つ所謂チャイルドロック機能を果たし得る蓋部の構造に関する。
【背景技術】
【０００２】
チャイルドロック機構とは、開封前の箱を保管している際や、開封し必要量を使用した後に残った分を保管している際に、児童等がいたずらをして容易に当該箱の中身を取り出し、誤飲等の危険を回避するためになされた機構である。
開封前の箱については、内箱部と外箱部を有しそれらを繋ぐ部分にパッケージ開封用の切取り短冊部を有し、当該切取短冊部の除去を以って引き出し可能となる構成（例えば、下記特許文献１参照）が紹介されており、開封後の箱については、蓋板の差込フラップのスリットに係止した係止片を左右内フラップの間隙に差し込んで再封した時、前記係止片が前記左右内フラップに衝合させ、蓋板の自由な開放を規制する構成が紹介されている（例えば、下記特許文献２参照）。
【先行技術文献】
【特許文献】
【０００３】
【特許文献１】特開２００８−２８５１７６号公報
【特許文献２】特開２０１０−２８５１８６号公報
【発明の概要】
【発明が解決しようとする課題】
【０００４】
しかしながら、前記特許文献１に記載の手法にあっては、内箱と外箱を有する構成であって、差込片を用いて再封自在とする形態の箱には適用できないと言う問題がある。
一方、前記特許文献２に記載の手法にあっては、差込片を用いて再封自在とする形態の箱ではあるが、箱を封鎖する工程に係止工程が伴い、一枚の展開シートから折り曲げ工程と糊付け工程のみで組み上げ得る組み立てラインとは異なる特別なラインが必要になるという問題がある。
【０００５】
本発明は、上記実情に鑑みてなされたものであって、特殊な組み立て工程や特殊な組み立て構造を必要とせず、且つ開閉作業においても煩雑な操作を要しないチャイルドロック機構を具備し、何度も蓋の開閉を行うことができる包装用箱及びその展開シートの提供を目的とする。
【課題を解決するための手段】
【０００６】
上記課題を解決すべく為された本発明による包装用箱は、四方を封じる側部とそれらの上端縁に囲まれる開口部を封じる蓋部及び底部を具備する一連の展開シートを組み立ててなり、前記側部は、左右側面と前後側面を備え、前記蓋部は、前記後側面の上端縁から延出する上封止面と、前記前側面の裏側に差し入れられる上差込片を備え、前記前側面は、その上端縁と切込み線に囲まれる開封操作部と、上に凸となる形状の切込み線に囲まれ且つ開封後再封時に差し入れられる前記上差込片を当該前側面とで挟む舌部を備え、前記上差込片は、前記上封止面に向かって凸となる形状の切込み線に囲まれて位置し且つ前記舌部が離脱して生じる開口部の上縁に前記上差込片から離脱してかかる係止片を備えることを特徴とする。
【０００７】
上記課題を解決すべく為された本発明による包装用箱用展開シートは、四方を封じる側部とそれらの端縁に囲まれる開口部を封じる蓋部及び底部を具備する一連の展開シートであって、前記側部は、左右側面と前後側面を備え、前記蓋部は、前記後側面の上端縁から延出する上封止面と、前記前側面の裏側に差し入れられる上差込片を備え、前記前側面は、その上端縁と切込み線に囲まれる開封操作部と、上に凸となる形状の切込み線に囲まれ且つ開封後再封時に差し入れられる前記上差込片を当該前側面とで挟む舌部を備え、前記上差込片は、前記上封止面に向かって凸となる形状の切込み線に囲まれて位置し且つ前記舌部が離脱して生じる開口部の上縁に前記上差込片から離脱してかかる係止片を備えることを特徴とする。
【０００８】
尚、前記開封時の便宜と、前記係止片離脱の便宜を図るべく、前記開封操作部の切込み線の下部に添う下に凸となる形状の切込み線に囲まれた開封補助部を設け、当該開封補助部の先側に前記係止片を囲む切込み線を設けても良い。
【発明の効果】
【０００９】
本発明による包装用箱及びその展開シートによれば、その展開シートの裁断形態（外形）及び組み立て工程には特別な加工や作業を施す必要は無いものの、当該展開シートに適宜付された切込み線を境に舌部や係止片を離脱させることのみによって、開封後の再封時において児童等がいたずらをして容易に当該箱の中身を取り出す等による誤飲等の危険を回避するに足るロック機能を与える構造を創造することができ、また、当該ロック機能を奏した箱を再開封する際にも、その作用を知る者にとっては、比較的容易に当該ロック機能を解除することができる。
【００１０】
また、この様な手法を採れば、上差込片を備える形態の既存の包装用紙箱について、裁断形態の変更を加える事無く、展開シートに所定の切込み線を入れるのみで、比較的容易に通常の包装用箱やその製造ライン又は充填ラインを、チャイルドロック機構を付設した包装用箱やその製造ラインや充填ラインに切り替えることができる。
【図面の簡単な説明】
【００１１】
【図１】本発明による包装用箱の一例を示すロック時における正面図、Ｘ−Ｘ矢視断面図及びその上位拡大図である。
【図２】本発明による包装用箱の一例を示すロック解除時における正面図、Ｘ−Ｘ矢視断面図及びその上位拡大図である。
【図３】本発明による包装用箱の一例を示す開封前における正面図及びＸ−Ｘ矢視断面図である。
【図４】本発明による包装用箱の一例を示す開封時における正面図及びＸ−Ｘ矢視断面図である。
【図５】本発明による包装用箱の一例を示す再閉鎖準備後における正面図及びＸ−Ｘ矢視断面図である。
【図６】本発明による包装用箱の一例を示す再閉鎖時における正面図及びＸ−Ｘ矢視断面図である。
【図７】本発明による包装用箱の一例を示す平面図及び底面図である。
【図８】本発明による包装用箱の展開シートの一例を示す正面図、平面図、及び背面図である。
【図９】本発明による包装用箱の展開シートの一例を示す右側面図及び左側面図である。
【図１０】本発明による包装用箱の一例を示す六面図である。
【発明を実施するための形態】
【００１２】
以下、本発明による包装用箱の実施の形態を、その展開シートの実施の形態と共に、詳細に説明する。
図１０に示す包装用箱は、四方を封じる方形状の側部と、それらの端縁に囲まれる開口部を封じる方形状の蓋部及び底部を有し、一連の展開シート１を組み立ててなる。
【００１３】
＜展開シート＞
図８及び図９に示す展開シート１は、四方を封じる前側面２、右側面３、後側面４及び左側面５を順に連設し、更に、前記前側面２の側縁に沿って前記左側面５の側縁部裏面に貼着する糊代１２を延設し、それらの上縁及び下縁に前記蓋部及び前記底部を適宜延設したものである。
【００１４】
この例において、前記前側面２は、その上端縁と切込み線（開封用破断線ａ）に囲まれ、且つ封鎖時においてその裏側に差し入れられた上差込片６へ接着する開封操作部Ａと、上に凸となるＵ字形状の切込み線（再封用破断線ｂ）に囲まれ且つ開封後再封時に差し入れられる前記上差込片６を当該前側面２とで挟む舌部Ｂを備える。
前記開封用破断線ａは、前記前側面２の上縁から当該前側面２の中央部に向けて指先が掛かる半楕円状又は方形状に膨出する台形状を呈し、前記再封用破断線ｂは、前記前側面２の中央部から前記開封用破断線ａに向けて、当該開封用破断線ａよりも幅広な直線状（上差込片６が引っ掛かり難い形状であれば良い。）の上縁を有する方形状を呈する。
【００１５】
前記右側面３及び左側面５は、相互に同サイズ同形状の側面を相対向して設けられたものであって、その上下端縁から延出し前記開口部に向けて折り曲げる左右内フラップ７Ｌ，７Ｒ，８Ｌ，８Ｒを備える。
各内フラップ７Ｌ，７Ｒ，８Ｌ，８Ｒは、略台形状を呈し、前記前側面２及び後側面４の幅に対して、各々略半分に至る長さとする。
【００１６】
前記後側面４は、前記前側面２と同サイズ同形状の側面を当該前側面２に対向して形成する。
この例では、当該後側面４は、前記後側面４の上端縁から延出する前記蓋部を備えると共に、同後側面４の下端縁から延出する前記底部を備える。
【００１７】
前記蓋部は、前記後側面４の上端縁から延出する上封止面９と、前記前側面２の裏側上位に差し入れられる前記上差込片６を備え、前記底部は、前記後側面４の下端縁から延出する下封止面１０と、前記前側面２の裏側下位に差し入れられる下差込片１１を備える。
前記上差込片６は、前記開封操作部Ａを囲む開封用破断線ａの下部に添う下に凸となる形状の切込み線（開封補助用破断線ｃ）に囲まれた開封補助部Ｃと、当該開封補助部Ｃの先側に上に凸となる形状の一連の切込み線（再封補助用破断線ｄ）に囲まれて位置し且つ前記舌部Ｂが離脱して生じる開口部の上縁（係止部Ｅ）にかかる係止片Ｄを備える。
【００１８】
尚、前記開封用破断線ａ、前記再封用破断線ｂ、前記開封補助用破断線ｃ及び再封補助用破断線ｄは、いずれも各切込み線に囲まれた前記開封操作部Ａ、前記舌部Ｂ、前記開封補助部Ｃ及び前記係止片Ｄとそれらを有する面又は片との縁を切らない有端切込みであって、特に、前記舌部Ｂ及び前記係止片Ｄは、各々前記前側面２及び前記上差込片６から其々の先部が離脱しつつも、その基部が前記前側面２及び前記上差込片６と連続していることによって、当該前側面２に前記蓋部の上差込片６をロックするチャイルドロック機構の機能を奏する。
【００１９】
前記開封操作部Ａ、舌部Ｂ及び開封補助部Ｃの各々を取り囲んで穿設された前記開封用破断線ａ、再封用破断線ｂ及び開封補助用破断線ｃは、間欠的に表裏を貫通した切込みが連続する切込み線を採用するが、前記係止片Ｄを取り囲む前記再封補助用破断線ｄは、表裏を貫通した一連の切込みである方が、分断軌道のズレを回避しチャイルドロック機構を失わない上で望ましい。
【００２０】
尚、廃棄時において偏平化を容易にすべく、各構成面の境界にミシン目状の切込み線（破断線）を適宜設けることもできる。前記例においては、前記糊代１２と前記前側面２との境界に破断線ｅを設けている。
【００２１】
＜組み立て＞
前記展開シート１は、前記糊代１２と相隣接する前記前側面２との境界を屈曲させて前記左側面５の側縁部裏面に前記糊代を貼着することによって、包装用箱として立体化する際の前成形を施した偏平状態の仕掛シート（図示省略）が形成される。
当該仕掛シートは、充填機等において、相隣接する前記糊代１２、前側面２、右側面３、後側面４及び左側面５各々の境界を直角に屈曲させる態様で偏平状態から立体状態に展開されて直方体状の箱本体を形作る。
【００２２】
次に、前記左側面５及び右側面３の上下端縁から延出する前記左右内フラップ７Ｌ，７Ｒ，８Ｌ，８Ｒを上下開口部に向けて略直角に折り曲げると共に、前記後側面４の上下端縁から延出する前記上下封止面９，１０を、前記左右内フラップ７Ｌ，７Ｒ，８Ｌ，８Ｒの表面上に折り重ね、前記前側面２の裏側に、前記上下封止面９，１０の先方から延出する前記上下差込片６，１１を挿し入れ、前記前側面２における前記開封操作部Ａの裏面と前記上差込片６の糊代部を貼着して箱本体を封鎖する（図３及び図７参照）。
内容物は、当該箱本体の組立工程のなかで適宜充填すればよい。
【００２３】
＜開封＞
上記の如く封鎖された包装用箱は、前記前側面２の上端部に設けられた前記開封操作部Ａを指先で押し入れて前記開封用破断線ａ及び前記開封補助用破断線ｃを破断し、更に、引き上げることによって、前記前側面２の裏側に差し入れられていた前記上差込片６が前記容器本体から離脱し、前記開封操作部Ａ諸共に前記蓋部が後方へ起立することで開封される（図４及び図５参照）。
【００２４】
＜再封鎖＞
再封鎖の際には、前記前側面２の舌部Ｂを表側から押し込んで前記再封用破断線ｂを破断し（図５参照）、前記箱本体の内側へ押し込まれた前記舌部Ｂと、押し込まれずに残った前記前側面２との隙間に、前記上封止面９に続く前記上差込片６を挿し入れる操作を行う。
その際、前記舌部Ｂと押し込まれずに残った前記前側面２のとの隙間に前記上差込片６が進入するに従って、前記再封補助用破断線ｄで囲まれた前記係止片Ｄは、前記舌部Ｂの表面に押されて当該舌部Ｂが離脱して生じた抜け穴へ押し入れられるも、当該係止片Ｄの周囲は前記抜け穴の周縁にその動きが規制されることにより、当該係止片Ｄは、前記上差込片６から離脱するよう促される（図６参照）。
【００２５】
前記上差込片６を挿し入れる操作を継続し、前記前側面２の係止部Ｅによる当該係止片Ｄへの規制が解除されると、前記上差込片６から離脱した前記係止片Ｄの先部が前記係止部Ｅに係り（図２参照）、前記差込片６を挿し入れる操作を解除すると、前記左右内フラップ７Ｌ，７Ｒの復元力で前記上封止面９及び前記上差込片６が引き上げられると共に、前記係止片Ｄが前記前側面２の係止部Ｅに押し広げられ、前記係止部Ｅの下位において箱本体の外に向けて前記係止片Ｄが張り出したチャイルドロック機構の構成が完成する（図１参照）。
【００２６】
＜再解放＞
前記チャイルドロック機構を解除して再度開封する際には、前記上封止面９を押下げつつ前記係止片Ｄ又はその近傍等を、前記係止部Ｅに対する前記係止片Ｄの掛かりが解けるまで押し入れれば、上位左右の前記内フラップ７Ｌ，７Ｒの規制が働いて当該蓋部が押し上げられ、再び前記係止部Ｅの裏面によって前記係止片Ｄの張り出しが規制されることで、容易に開封可能な状態となる（図２及び図６参照）。
【００２７】
当該例では、前記上下差込片６，１１と前記上下封止面９，１０との境界の両端部に切込みを備えると共に、前記左右内フラップ７Ｌ，７Ｒ，８Ｌ，８Ｒの基部前縁に、前記切込みに掛かる干渉部を備える結果、一端差し入れた上差込片６の係止片Ｄが係止部Ｅから外れたとしても、前記前側面２との隙間から容易に抜け出ない様に簡易ロックされる。
【符号の説明】
【００２８】
ａ  開封用破断線，ｂ  再封用破断線，ｃ  開封補助用破断線，
ｄ  再封補助用破断線，ｅ  破断線，
Ａ  開封操作部，Ｂ  舌部，Ｃ  開封補助部，Ｄ  係止片，Ｅ  係止部，
１  展開シート，２  前側面，３  右側面，４  後側面，５  左側面，６  上差込片，
７Ｌ  左内フラップ（上位），７Ｒ  右内フラップ(上位)，
８Ｌ  左内フラップ（下位），８Ｒ  右内フラップ(下位)，
９  上封止面，１０  下封止面，１１  下差込片，１２  糊代，
【図１】
0005925745.tif 000002
【図２】
0005925745.tif 000003
【図３】
0005925745.tif 000004
【図４】
0005925745.tif 000005
【図５】
0005925745.tif 000006
【図６】
0005925745.tif 000007
【図７】
0005925745.tif 000008
【図８】
0005925745.tif 000009
【図９】
0005925745.tif 000010
【図１０】
0005925745.tif 000011